(57)【要約】【課題】制震装置２００の汎用性向上【解決手段】  下側伝達部材２０３は、制震ユニット２０１の一対の変位部材のうち第２変位部材２１１に固定される第２ユニット側固定部２０３ａにピン構造で取り付けられた２本のブレース２０３ｂ，２０３ｃを備えている。第１ブレース２０３ｂの下端部に取り付けられた第１下梁側固定部２０３ｄと、第２ブレース２０３ｃの下端部に取り付けられた第２下梁側固定部２０３ｅと、第１下梁側固定部２０３ｄと、第２ブレースの前記中間部位とに架け渡された第１斜材２０３ｇと、第２下梁側固定部２０３ｅと、第１ブレースの中間部位とに架け渡された第２斜材２０３ｈとを備えている。【選択図】図１
2019137974.tif 000002
【特許請求の範囲】
【請求項１】
建物の下梁と、前記下梁に立てられた一対の柱、前記一対の柱に架け渡された上梁とで囲まれた矩形の枠組み内に配置される制震装置であって、
制震ユニットと、
上側伝達部材と、
下側伝達部材と
を備え、
前記制震ユニットは、
制震部材と、
前記制震部材に相対的な変位を入力する一対の変位部材と
を備え、
前記上側伝達部材は、
前記建物の前記上梁に固定される上梁側固定部と、
前記制震ユニットの前記一対の変位部材のうち第１変位部材に固定される第１ユニット側固定部と
を備え、
前記下側伝達部材は、
前記制震ユニットの一対の変位部材のうち第２変位部材に固定される第２ユニット側固定部と、
前記第２ユニット側固定部にピン構造で取り付けられた２本のブレースと、
前記２本のブレースのうち第１ブレースの下端部に取り付けられた第１下梁側固定部と、
前記２本のブレースのうち第２ブレースの下端部に取り付けられた第２下梁側固定部と、
前記第１下梁側固定部と、第２ブレースの中間部位とに架け渡された第１斜材と、
前記第２下梁側固定部と、第１ブレースの中間部位とに架け渡された第２斜材と
を備えた、
制震装置。
【請求項２】
前記第１斜材と前記第２斜材は、それぞれ長さを調整できるように構成されている、請求項１に記載された制震装置。
【請求項３】
前記２本のブレーの中間部位に架け渡された横架材をさらに備え、
前記横架材は、前記２本のブレースの中間部位に取り付けられた位置を調整できるように構成されている、請求項１または２に記載された制震装置。
【請求項４】
前記２本のブレースの中間部位に架け渡された横架材をさらに備え、
前記横架材は、長さを調整できるように構成されている、請求項１または２に記載された制震装置。
【請求項５】
前記横架材と前記第１斜材と前記第２斜材は、それぞれ前記２本のブレースの中間部位に対して取り外し可能に取り付けられている、請求項３または４に記載された制震装置。
【請求項６】
前記下梁側固定部は、建物の下梁と、前記下梁から立ち上がった柱とに取り付けられる直交する２つの取付片を有し、前記２本のブレースの下端部にピン構造で取り付けられている、請求項１から５までの何れか一項に記載された制震装置。
【発明の詳細な説明】
【技術分野】
【０００１】
本発明は、制震装置に関する。
【背景技術】
【０００２】
制震装置が取り付けられた建物は、例えば、特開２０１４−２０１１３号公報に開示されている。同公報では、下梁の上に配置された制震装置の下側伝達部材を、コンクリート基礎に設けられたアンカーボルトに固定した構造が提案されている。また、特開２０１４−１０９１５３には、アンカーボルトで固定せず、下梁および柱に取付けられる固定具によって、制震装置を固定することが提案されている。
【先行技術文献】
【特許文献】
【０００３】
【特許文献１】特開２０１４−２０１１３号
【特許文献２】特開２０１４−１０９１５３号
【発明の概要】
【発明が解決しようとする課題】
【０００４】
アンカーボルトは、例えば、ホールダウン金物などによって、建物の柱が接続され、地震時に建物の柱が土台から浮き上がるのを防止している。建物をリフォームする際に、制震装置が取り付けられる場合、制御装置を取り付けたい部位にアンカーボルトは設置されていない。特許文献２では、制震装置を取付けるのにアンカーボルトが用いられない。建物をリフォームする際には、建物や取付位置によって柱の間隔が決まっていない。このため、本発明者は、柱の間隔が決まっていないような場合でも取り付けられる、汎用性の高い制震装置を提供したいと考えている。
【課題を解決するための手段】
【０００５】
ここで提案される制震装置は、建物の下梁と、下梁に立てられた一対の柱、一対の柱に架け渡された上梁とで囲まれた矩形の枠組み内に配置される。ここで、制震装置は、制震ユニットと、上側伝達部材と、下側伝達部材とを備えている。
制震ユニットは、制震部材と、制震部材に相対的な変位を入力する一対の変位部材とを備えている。
上側伝達部材は、建物の上梁に固定される上梁側固定部と、制震ユニットの一対の変位部材のうち第１変位部材に固定される第１ユニット側固定部とを備えている。
下側伝達部材は、制震ユニットの一対の変位部材のうち第２変位部材に固定される第２ユニット側固定部と、第２ユニット側固定部にピン構造で取り付けられた２本のブレースと、２本のブレースのうち第１ブレースの下端部に取り付けられた第１下梁側固定部と、２本のブレースのうち第２ブレースの下端部に取り付けられた第２下梁側固定部と、第１下梁側固定部と、第２ブレースの中間部位とに架け渡された第１斜材と、第２下梁側固定部と、第１ブレースの中間部位とに架け渡された第２斜材とを備えている。
【０００６】
制震装置は、下側伝達部材の左右のブレースの間隔は調整できるので、取り付ける位置について自由度が高く、汎用性が高い。
【図面の簡単な説明】
【０００７】
【図１】図１は、建物１００に取付けられた制震装置２００の正面図である。
【図２】図２は、制震装置２００の上部の右側面図である。
【図３】図３は、制震装置２００の上部の縦断側面図である。
【図４】図４は、図１の左側の下梁側固定部２０３ｄを拡大した側面図である。
【図５】図５は、図１の右側の下梁側固定部２０３ｅを拡大した側面図である。
【図６】図６は、横架材２０３ｆが取り付けられた部位を示す側面図である。
【図７】図７は、他の実施形態に係る制震装置２００の正面図である。
【発明を実施するための形態】
【０００８】
以下、ここで提案される制震装置を図面に基づいて説明する。なお、本発明は以下の実施形態に限定されない。各図面は模式的に描かれており、必ずしも実物を反映していない。また、各図面は、一例を示すのみであり、特に言及されない限りにおいて本発明を限定しない。また、同一の作用を奏する部材・部位には、適宜に同一の符号を付し、重複する説明を省略する。ここで、図中、上、下、左、右、前、後の向きは、Ｕ、Ｄ、Ｌ、Ｒ、Ｆ、Ｒｒの矢印でそれぞれ表されている。また、符号は、細部において適宜に省略されている。
【０００９】
《建物１００》
図１は、建物１００に取付けられた制震装置２００の正面図である。建物１００は、図１に示すように、基礎１０１と、下梁１０２と、複数の柱１０３，１０４と、上梁１０５とを備えている。
【００１０】
基礎１０１は、上方に突出したアンカーボルト１１１，１１２を備えている。アンカーボルト１１１，１１２は、所要の引き抜き強度を備えているとよい。なお、図示されていないが、基礎１０１には、下梁１０２を固定するために他にも複数のアンカーボルトが設けられているとよい。建物１００の下梁１０２および複数の柱は、適当な位置で、基礎１０１に設けられた複数のアンカーボルトによって固定されている。
【００１１】
下梁１０２は、基礎１０１の上に配置されている。ここで、下梁１０２は、基礎１０１の上に配置される建物１００の下部の構造材であり、土台とも称されうる。図１では、基礎１０１の上に、基礎パッキン１０１ａが配置され、基礎パッキン１０１ａの上に、下梁１０２が重ねられている。なお、下梁１０２を構成する部材は、建物１００の工法や設計の差異などによって種々変更されうる。この実施形態では、下梁１０２には、ほぞ穴１０２ａが形成されている。
【００１２】
複数の柱１０３，１０４は、下梁１０２から立ち上げられている。図１に示す形態では、柱１０３，１０４の下部には、ほぞ１０３ａ，１０４ａが設けられている。ほぞ１０３ａ，１０４ａは、下梁１０２に形成されたほぞ穴１０２ａに挿し込まれている。これによって、柱１０３，１０４は、下梁１０２から立ち上げられている。図１に示された例では、柱１０３，１０４は、ホールダウン金物１１１ａ，１１２ａを通じて土台としての下梁１０２または基礎１０１に取付けられている。また、柱１０３，１０４の上部には、上梁１０５を取付けるため、ほぞ１０３ｂ，１０４ｂが設けられている。ここで、図１は、建物１００の一部が描かれているに過ぎない。建物１００には、柱１０３，１０４の他にも複数の柱が設けられている。ホールダウン金物１１１ａ，１１２ａの強度が高すぎると、建物１００が大きく傾いた際に、柱１０３，１０４が損傷するなど、修繕が困難になる場合がある。このため、ホールダウン金物１１１ａ，１１２ａの強度は、柱１０３，１０４が大きく損傷する前に所要の変形が生じうるように、適当な強度に調整されているとよい。
【００１３】
図１では、柱１０３，１０４は、それぞれホールダウン金物１１１ａ，１１２ａが取り付けられて下梁１０２に固定されている。住宅の設計においては、例えば、地震時などに柱と梁の接合部分に掛かる力が計算され、計算された力に対して耐えうる金物が採用される。かかる観点において、柱１０３，１０４を、下梁１０２に固定する金物は、ホールダウン金物に限定されない。柱１０３，１０４は、適当な構造で下梁１０２から引き抜かれないように固定されているとよい。例えば、柱１０３，１０４は、コーナー金物（Ｌ形金具とも称される）によって、下梁１０２に固定されていてもよい。
【００１４】
上梁１０５は、かかる柱１０３，１０４を含む建物１００の複数の柱１０３，１０４によって支持されており、下梁１０２の上方に配置されている。この実施形態では、上梁１０５の下面には、ほぞ穴１０５ａが形成されている。そして、柱１０３，１０４の上部のほぞ１０３ｂ，１０４ｂに、上梁１０５のほぞ穴１０５ａが挿し込まれている。これによって、上梁１０５が、柱１０３，１０４に設置されている。上梁１０５は、複数の柱１０３，１０４によって支持され、下梁１０２の上方に配置されている。例えば、２階建ての家屋であれば、２階の床梁などが、上梁１０５となる。この実施形態では、上梁１０５と柱１０３，１０４とは、金物１１５，１１６によって固定されている。
【００１５】
《制震装置２００》
制震装置２００は、建物１００の下梁１０２と、下梁１０２に立てられた一対の柱１０３，１０４と、一対の柱１０３，１０４に架け渡された上梁１０５とで囲まれた矩形の枠組み１０８内に配置されている。なお、この実施形態では、矩形の枠組み１０８では、下梁１０２の上に床合板１０９が取付けられている。また、上梁１０５の下面に調整板１１０が取り付けられている。ここで、制震装置２００は、制震ユニット２０１と、上側伝達部材２０２と、下側伝達部材２０３とを備えている。
【００１６】
《制震ユニット２０１》
図２は、制震装置２００の上部の右側面図である。図３は、制震装置２００の上部の縦断側面図である。図２は、図１のＩＩ−ＩＩ線矢視図である。図３は、図１のＩＩＩ−ＩＩＩ線矢視断面図である。図３では、特に制震ユニット２０１が粘弾性体２１２，２１３の中心線に沿って縦断された断面が図示されている。制震ユニット２０１は、制震部材としての粘弾性体２１２，２１３と、制震部材に相対的な変位を入力する一対の変位部材としての中間プレート２１１および一対の外側プレート２１４，２１５を備えている。
【００１７】
この実施形態では、制震ユニット２０１は、図２および図３に示すように、中間プレート２１１と、一対の粘弾性体２１２，２１３と、一対の外側プレート２１４，２１５とを備えている。一対の粘弾性体２１２，２１３は、中間プレート２１１を挟むように配置され、中間プレート２１１に接着されている。一対の外側プレート２１４，２１５は、中間プレート２１１を挟むように配置された一対の粘弾性体２１２，２１３の外側面に重ねられ、かつ、接着されている。
【００１８】
《粘弾性体２１２，２１３》
粘弾性体２１２，２１３には、高減衰性を有する粘弾性ゴム（制震ゴム）が好適に採用されうる。高減衰性を有する粘弾性ゴム（制震ゴム）には、例えば、天然ゴム、スチレンブタジエンゴム（ＳＢＲ）、ニトリルブタジエンゴム（ＮＢＲ）、ブタジエンゴム素材（ＢＲ）、イソプレンゴム（ＩＲ）、ブチルゴム（ＩＩＲ）、ハロゲン化ブチルゴム（Ｘ−ＩＩＲ）、クロロプレンゴム（ＣＲ）、あるいは、これらのゴムのうち複数のゴム素材を混合したゴム素材に、高減衰性を発揮する添加剤を加えて生成された高減衰性ゴム組成物を用いることができる。高減衰性を発揮する添加剤としては、例えば、カーボンブラックなど、種々の添加剤が知られている。中間プレート２１１と粘弾性体２１２，２１３および外側プレート２１４，２１５と粘弾性体２１２，２１３とは、加硫接着によって接着されているとよい。
【００１９】
この制震ユニット２０１では、中間プレート２１１と、一対の外側プレート２１４，２１５とに相対的な変位が生じると、一対の粘弾性体２１２，２１３にせん断変形が生じる。そして、中間プレート２１１と、一対の外側プレート２１４，２１５とには、一対の粘弾性体２１２，２１３のせん断変形に応じた反力が作用する。
【００２０】
この制震ユニット２０１では、一対の粘弾性体２１２，２１３は、制震部材として機能する。中間プレート２１１と、一対の外側プレート２１４，２１５とは、粘弾性体２１２，２１３に相対的な変位を入力するための一対の変位部材として機能する。ここでは、外側プレート２１４，２１５は、第１変位部材として機能する。中間プレート２１１は、第２変位部材として機能する。制震ユニット２０１は、粘弾性体２１２，２１３を、中間プレート２１１と一対の外側プレート２１４，２１５とで挟んだ構造が開示されているが、制震ユニット２０１の構造は、かかる形態に限定されない。
【００２１】
この実施形態では、制震ユニット２０１は、図１に示されているように、下梁１０２と、柱１０３，１０４と、上梁１０５とで囲まれた矩形の枠組み１０８内に配置されている。そして、上記下梁１０２と、柱１０３，１０４と、上梁１０５とで囲まれた矩形の枠組み１０８の法線方向に、中間プレート２１１と、一対の粘弾性体２１２，２１３と、一対の外側プレート２１４，２１５との法線方向が合わせられている。図２に示すように、中間プレート２１１は、一対の粘弾性体２１２，２１３が接着された部位から下方に延びている。中間プレート２１１の下端には、中間プレート２１１と直交するように取付プレート２１１ａが溶接されている。取付プレート２１１ａには、下側伝達部材２０３に取付けるための取付穴が形成されている。一対の外側プレート２１４，２１５は、一対の粘弾性体２１２，２１３が接着された部位から左方および右方に延びている（図１参照）。一対の外側プレート２１４，２１５には、上側伝達部材２０２に取付けるための取付穴が形成されている。
【００２２】
《上側伝達部材２０２》
上側伝達部材２０２は、図２および図３に示されているように、建物１００の上梁１０５に固定される上梁側固定部２０２ａと、制震ユニット２０１の一対の変位部材のうち第１変位部材（この実施形態では、一対の外側プレート２１４，２１５）に固定される第１ユニット側固定部２０２ｂ，２０２ｃとを備えている。この実施形態では、上側伝達部材２０２は、上梁側固定部２０２ａと、第１ユニット側固定部２０２ｂ，２０２ｃとを備えている。上梁側固定部２０２ａは、幅方向の両縁部が同じ向きに折り曲げられた長尺のプレート部材である。上梁側固定部２０２ａには、長さ方向に所定の間隔をあけて、第１ユニット側固定部２０２ｂ，２０２ｃとなる取付片が溶接されている。第１ユニット側固定部２０２ｂ，２０２ｃとしての取付片には、制震ユニット２０１の一対の外側プレート２１４，２１５に取付けるための取付穴が形成されている。
【００２３】
上梁側固定部２０２ａは、第１ユニット側固定部２０２ｂ，２０２ｃとなる取付片を下方に向けて上梁１０５の下面に沿って取り付けられ、締結具（この実施形態では、ラグスクリューボルト３２１）によって上梁１０５に締結されている。第１ユニット側固定部２０２ｂ，２０２ｃとしての取付片は、中間プレート２１１の左方と右方とにおいて、上梁側固定部２０２ａから下方に延びている。取付片２０２ｂ，２０２ｃは、一対の外側プレート２１４，２１５の、一対の粘弾性体２１２，２１３から左方および右方に延びた部位にそれぞれ取付けられている。取付片２０２ｂ，２０２ｃと、一対の外側プレート２１４，２１５との間には、スペーサ（図示省略）が取り付けられている。このスペーサによって、一対の外側プレート２１４，２１５の間隔が維持されている。一対の外側プレート２１４，２１５と取付片２０２ｂ，２０２ｃとは、スペーサ３０１ａを介在させた状態で、ボルトナット３０１（図１参照）によって締結されている。
【００２４】
《下側伝達部材２０３》
下側伝達部材２０３は、図１に示されているように、第２ユニット側固定部２０３ａと、２本のブレース２０３ｂ，２０３ｃと、第１下梁側固定部２０３ｄと、第２下梁側固定部２０３ｅと、横架材２０３ｆと、第１斜材２０３ｇと、第２斜材２０３ｈとを備えている。
【００２５】
《第２ユニット側固定部２０３ａ》
第２ユニット側固定部２０３ａは、この実施形態では、図１および図２に示すように、２本のブレース２０３ｂ，２０３ｃの上端に設けられている。第２ユニット側固定部２０３ａは、ブレース２０３ｂ，２０３ｃの上端および前後に沿うように折り曲げられたプレート状の部材である。第２ユニット側固定部２０３ａは、ブレース２０３ｂ，２０３ｃの上端に対向する面２０３ａ１と、ブレース２０３ｂ，２０３ｃの上端部の前後を挟むように折り曲げられた挟持片２０３ａ２，２０３ａ３とを備えている。
第２ユニット側固定部２０３ａは、制震ユニット２０１の一対の変位部材のうち他方の変位部材（この実施形態では、中間プレート２１１）に固定される部位である。この実施形態では、ブレース２０３ｂ，２０３ｃの上端に対向する面２０３ａ１は、左方及び右方に延びている。そして、当該面２０３ａ１は、中間プレート２１１に設けられた取付プレート２１１ａに重ねられる。当該面２０３ａ１と取付プレート２１１ａは、ボルトナット３０２によって締結されている。
【００２６】
《２本のブレース２０３ｂ，２０３ｃ》
２本のブレース２０３ｂ，２０３ｃは、第２ユニット側固定部２０３ａから下方に延びている。２本のブレース２０３ｂ，２０３ｃは、第２ユニット側固定部２０３ａにピン構造で取り付けられている。この実施形態では、２本のブレース２０３ｂ，２０３ｃの上端部は、挟持片２０３ａ２，２０３ａ３の間に装着されている。そして、挟持片２０３ａ２，２０３ａ３および２本のブレース２０３ｂ，２０３ｃの上端部に貫通するようにピン２０３ｂ１，２０３ｃ１が取り付けられている。ピン２０３ｂ１，２０３ｃ１によって、２本のブレース２０３ｂ，２０３ｃの上端部は、挟持片２０３ａ２，２０３ａ３に対して左右に回動する。
【００２７】
建物１００の下梁１０２と左側の柱１０３との角、および、建物１００の下梁１０２と右側の柱１０４との角に合わせて、２本のブレース２０３ｂ，２０３ｃを広げる。そして、２本のブレース２０３ｂ，２０３ｃの下端に取り付けられた下梁側固定部２０３ｄ，２０３ｅを、建物１００の下梁１０２と左側の柱１０３との角、および、建物１００の下梁１０２と右側の柱１０４との角に固定する。
【００２８】
《下梁側固定部２０３ｄ，２０３ｅ》
下梁側固定部２０３ｄ，２０３ｅは、図１に示されているように、２本のブレース２０３ｂ，２０３ｃの下端部に取り付けられており、建物１００の下梁１０２に取り付けられる部位である。
【００２９】
図１に示されているように、下梁側固定部２０３ｄ，２０３ｅは、それぞれ直角三角形のプレート状の金物部材である。図４は、図１の左側の下梁側固定部２０３ｄを拡大した側面図である。図５は、図１の右側の下梁側固定部２０３ｅを拡大した側面図である。換言すると、図４は、図１のＩＶ−ＩＶ線矢視図である。図５は、図１のＶ−Ｖ線矢視図である。
図４および図５に示されているように、左右の下梁側固定部２０３ｄ，２０３ｅは、それぞれ２本のブレース２０３ｂ，２０３ｃの下端部の前後に配置された２枚の金物２０３ｄ１，２０３ｄ２，２０３ｅ１，２０３ｅ２で構成されている。
【００３０】
下端部の前後に配置された２枚の金物２０３ｄ１，２０３ｄ２，２０３ｅ１，２０３ｅ２は、建物１００の下梁１０２に取り付けられる第１取付片２０３ｄ３，２０３ｅ３と、下梁１０２から立ち上がった柱１０３，１０４に取り付けられる第２取付片２０３ｄ４，２０３ｅ４とを備えている。第１取付片２０３ｄ３，２０３ｅ３と第２取付片２０３ｄ４，２０３ｅ４とは直交する向きに向けられている。第１取付片２０３ｄ３，２０３ｅ３と第２取付片２０３ｄ４，２０３ｅ４は、ブレース２０３ｂ，２０３ｃに対して前側に配置される金物２０３ｄ１，２０３ｅ１では、それぞれ前側に設けられている。また、第１取付片２０３ｄ３，２０３ｅ３と第２取付片２０３ｄ４，２０３ｅ４は、ブレース２０３ｂ，２０３ｃに対して後側に配置される金物２０３ｄ１，２０３ｅ１では、それぞれ後側に設けられている。
【００３１】
下梁側固定部２０３ｄ，２０３ｅは、２本のブレース２０３ｂ，２０３ｃの下端部に対して回動可能なピン構造で取り付けられている。この実施形態では、下梁側固定部２０３ｄ，２０３ｅは、２本のブレース２０３ｂ，２０３ｃの下端部に取り付けられたピン２０３ｂ２，２０３ｃ２に回動可能に取り付けられている。
【００３２】
《横架材２０３ｆ》
図６は、横架材２０３ｆが取り付けられた部位を示す側面図である。換言すると、図６は、図１のＶＩ−ＶＩ線矢視図である。
横架材２０３ｆは、図６に示されているように、２本のブレース２０３ｂ，２０３ｃの中間部位に架け渡される部材である。横架材２０３ｆは、２本のブレース２０３ｂ，２０３ｃの中間部位に対して、前側と後側にそれぞれ取り付けられている。横架材２０３ｆは、所要の長さを有するプレート材である。横架材２０３ｆの両端部には、長さ方向に延びた長孔２０３ｆ１，２０３ｆ２が形成されている。横架材２０３ｆは、２本のブレース２０３ｂ，２０３ｃの中間部位にピン２０３ｂ３，２０３ｃ３で留められている。
【００３３】
この実施形態では、下梁側固定部２０３ｄ，２０３ｅが、左右の柱１０３，１０４に取り付けられるように、２本のブレース２０３ｂ，２０３ｃの間隔が調整される。ここで、柱１０３，１０４の間隔は、建物１００によって、あるいは、建物１００に制震装置２００が取り付けられる位置によって異なる。このため、制震装置２００が取り付けられる際の２本のブレース２０３ｂ，２０３ｃの中間部位の距離が異なる。横架材２０３ｆの両端部に長孔２０３ｆ１，２０３ｆ２が形成されている。このため、間隔が調整された２本のブレース２０３ｂ，２０３ｃの中間部位に横架材２０３ｆを取り付けることができる。また、２本のブレース２０３ｂ，２０３ｃの中間部位に横架材２０３ｆが取り付けられた後でも、ブレース２０３ｂ，２０３ｃの間隔を調整できる。
【００３４】
《第１斜材２０３ｇ，第２斜材２０３ｈ》
第１斜材２０３ｇは、左側の第１ブレース２０３ｂに取り付けられた下梁側固定部２０３ｄと、右側の第２ブレース２０３ｃの中間部位とに架け渡されている。
第２斜材２０３ｈは、右側の第２ブレース２０３ｃに取り付けられた下梁側固定部２０３ｅと、第１ブレース２０３ｂの中間部位とに架け渡されている。
この実施形態では、第１斜材２０３ｇは、下側伝達部材２０３の後側に取り付けられており、第２斜材２０３ｈは、下側伝達部材２０３の前側に取り付けられている。
【００３５】
《第１斜材２０３ｇ》
ここで、第１斜材２０３ｇは、長さ調整可能な棒状の軸の両端に取付部２０３ｇ２，２０３ｇ３が設けられている。
第１斜材２０３ｇの軸は、下側の第１軸２０３ｇ４と、上側の第２軸２０３ｇ５と、第１軸２０３ｇ４と第２軸２０３ｇ５を繋ぐターンバックル２０３ｇ６とを備えているとよい。ターンバックル２０３ｇ６は、スリーブ状の部材であり、両端に逆方向にネジ溝が切られたねじ穴が形成されている。第１軸２０３ｇ４と第２軸２０３ｇ５には、それぞれターンバックル２０３ｇ６のねじ穴に応じたネジが切られているとよい。ターンバックル２０３ｇ６を回すことによって、第１斜材２０３ｇの長さが調整される。
【００３６】
ここで、取付部２０３ｇ２，２０３ｇ３は、それぞれ平板であり、第１斜材２０３ｇの両端に溶接されているとよい。第１斜材２０３ｇの下側に溶接された取付部２０３ｇ２には、左側のブレース２０３ｂの下端部に取り付けられるピン２０３ｂ２が装着されるための孔が形成されているとよい。第１斜材２０３ｇの上側の取付部２０３ｇ３には、右側のブレース２０３ｃの中間部位に取り付けられるピン２０３ｃ３が装着されるための孔が形成されている。
【００３７】
第１斜材２０３ｇの下側の取付部２０３ｇ２は、左側のブレース２０３ｂの下端部の後側に取り付けられている。具体的には、取付部２０３ｇ２は、左側のブレース２０３ｂの下端部の後側に重ねられる金物２０３ｄ２の後側に重ねられている。第１斜材２０３ｇの上側の取付部２０３ｇ３は、右側のブレース２０３ｃの中間部位に取り付けられている。具体的には、取付部２０３ｇ３は、右側のブレース２０３ｃの中間部位の後側に重ねられた横架材２０３ｆの後側に重ねられている。この実施形態では、第１斜材２０３ｇは、ピン２０３ｂ２とピン２０３ｃ３とによって、左右のブレース２０３ｂ，２０３ｃに取り付けられている。
【００３８】
《ピン２０３ｂ２》
ピン２０３ｂ２は、左側のブレース２０３ｂの下端部において、ブレース２０３ｂおよびブレース２０３ｂの前後に重ねられた２枚の金物２０３ｄ１，２０３ｄ２を貫通している。さらにピン２０３ｂ２は、後側の金物２０３ｄ２の後側にさらに重ねられた第１斜材２０３ｇの下端を貫通している。かかるピン２０３ｂ２によって、左側のブレース２０３ｂの下端部に対する第１下梁側固定部２０３ｄが回動する。また、ピン２０３ｂ２によって、左側のブレース２０３ｂの下端部に対する第１斜材２０３ｇの角度が調整される。
【００３９】
《ピン２０３ｃ３》
ピン２０３ｃ３は、右側のブレース２０３ｃの中間部位において、ブレース２０３ｃの前側と後側にそれぞれ重ねられた横架材２０３ｆの長孔を貫通している。ピン２０３ｃ３は、後側の横架材２０３ｆの後側にさらに重ねられた第１斜材２０３ｇの上側の取付部２０３ｇ３の孔をさらに貫通している。第１斜材２０３ｇは、左右のブレース２０３ｂ，２０３ｃの角度が調整されるのに合わせて、第１斜材２０３ｇの長さが調整される。そして、ピン２０３ｂ２とピン２０３ｃ３とによって、左側のブレース２０３ｂの下端部と右側のブレース２０３ｃの中間部位とに取り付けられている。
【００４０】
《第２斜材２０３ｈ》
第２斜材２０３ｈは、第１斜材２０３ｇと同様の構造を備えている。第２斜材２０３ｈは、長さ調整可能な棒状の軸の両端に取付部２０３ｈ２，２０３ｈ３が設けられている。下側の第１軸２０３ｈ４と、上側の第２軸２０３ｈ５とは、ターンバックル２０３ｈ６で繋がれている。ターンバックル２０３ｈ６を回すことによって、第２斜材２０３ｈの長さが調整される。第２斜材２０３ｈの下側の取付部２０３ｈ２は、右側の下梁側固定部２０３ｅに取り付けられている。第２斜材２０３ｈの上側の取付部２０３ｈ３は、左側のブレース２０３ｂの中間部位に取り付けられている。
【００４１】
《ピン２０３ｃ２》
ピン２０３ｃ２は、右側のブレース２０３ｃの下端部において、ブレース２０３ｃおよびブレース２０３ｃの前後に配置された２枚の金物２０３ｅ１，２０３ｅ２を貫通している。さらにピン２０３ｃ２は、後側の金物２０３ｅ２の後側にさらに重ねられた第２斜材２０３ｈの下端を貫通している。かかるピン２０３ｃ２によって、左側のブレース２０３ｃの下端部に対する第１下梁側固定部２０３ｅが回動する。また、ピン２０３ｃ２によって、左側のブレース２０３ｃの下端部に対する第２斜材２０３ｈの角度が調整される。
【００４２】
《ピン２０３ｂ３》
ピン２０３ｂ３は、左側のブレース２０３ｂの中間部位において、ブレース２０３ｂの前側と後側にそれぞれ重ねられた横架材２０３ｆの長孔を貫通している。ピン２０３ｂ３は、後側の横架材２０３ｆの後側にさらに重ねられた第２斜材２０３ｈの上側の取付部２０３ｈ３の孔をさらに貫通している。第２斜材２０３ｈは、左右のブレース２０３ｂ，２０３ｃの角度が調整されるのに合わせて、第２斜材２０３ｈの長さが調整される。そして、ピン２０３ｃ２とピン２０３ｂ３とによって、右側のブレース２０３ｃの下端部と左側のブレース２０３ｂの中間部位とに取り付けられている。
【００４３】
《ピン》
ここで、下側伝達部材２０３の左右のブレース２０３ｂ，２０３ｃには、ピン２０３ｂ１，２０３ｂ２，２０３ｂ３、ピン２０３ｃ１，２０３ｃ２，２０３ｃ３がそれぞれ取り付けられている。
これらのピンは、それぞれ軸材として、先端にねじ溝が切られたボルト軸と、ボルト軸に止められるナットとで構成されているとよい。また、左右のブレース２０３ｂ，２０３ｃの間隔が調整され、下梁側固定部２０３ｄ，２０３ｅの向きや、横架材２０３ｆの取り付け位置が決まった後は、十分にナットを締めて、各部材が固定されるとよい。なお、ピンの構造は、これに限定されず、所要の剛性を備えた市販のヒンジピンが用いられてもよい。
【００４４】
なお、ブレース２０３ｂ，２０３ｃの下端部に取り付けられたピン２０３ｂ２，２０３ｃ２は、ブレース２０３ｂ，２０３ｃを貫通していなくてもよい。ピン２０３ｂ２，２０３ｃ２は、下梁側固定部２０３ｄ，２０３ｅが回動可能に支持しうる軸であるとよい。例えば、ピン２０３ｂ２，２０３ｃ２は、ブレース２０３ｂ，２０３ｃの外側面から突出するようにブレース２０３ｂ，２０３ｃに溶接された軸でもよい。
また、ブレース２０３ｂ，２０３ｃの中間部位に取り付けられるピン２０３ｂ３，２０３ｃ３は、横架材２０３ｆ、第１斜材２０３ｇおよび第２斜材２０３ｈがそれぞれ取り付けられる構造であるとよい。このため、ピン２０３ｂ３，２０３ｃ３についても、ブレース２０３ｂ，２０３ｃを貫通していなくてもよい。例えば、ピン２０３ｂ３，２０３ｃ３は、ブレース２０３ｂ，２０３ｃの外側面から突出するようにブレース２０３ｂ，２０３ｃに溶接された軸でもよい。
【００４５】
《制震装置２００の取り付け例》
制震装置２００は、制震ユニット２０１と、上側伝達部材２０２と、下側伝達部材２０３とが用意される。下側伝達部材２０３は、例えば、左右のブレース２０３ｂ，２０３ｃから、横架材２０３ｆと、第１斜材２０３ｇと、第２斜材２０３ｈとが取り外された状態で用意されるとよい。これによって、左右のブレース２０３ｂ，２０３ｃを閉じた状態で梱包でき、下側伝達部材２０３をコンパクトに梱包できる。この際、コンパクトに梱包するとの観点では、下側伝達部材２０３は、第２ユニット側固定部２０３ａと下梁側固定部２０３ｄ，２０３ｅとが、左右のブレース２０３ｂ，２０３ｃから、さらに取り外されていてもよい。
【００４６】
ここでは、下側伝達部材２０３は、横架材２０３ｆと、第１斜材２０３ｇと、第２斜材２０３ｈとが取り外された状態で用意される。また、第２ユニット側固定部２０３ａに、左右のブレース２０３ｂ，２０３ｃの上端部がピン２０３ｂ１，ピン２０３ｃ１で仮止めされているとよい。さらに、左右のブレース２０３ｂ，２０３ｃの下端部に、下梁側固定部２０３ｄ，２０３ｅがピン２０３ｂ２，ピン２０３ｃ２で仮止めされているとよい。第１斜材２０３ｇが取り付けられることを考慮して、左側のブレース２０３ｂの下端部に装着されるピン２０３ｂ２のボルトは、前側から装着されているとよい。また、第２斜材２０３ｈが取り付けられることを考慮して、右側のブレース２０３ｃの下端部に装着されるピン２０３ｃ２のボルトは、後側から装着されているとよい。また、下梁１０２の上面には、予め床合板１０９が取り付けられているとよい。
【００４７】
この状態で、図１に示されているように、下側伝達部材２０３の左右のブレース２０３ｂ，２０３ｃが、柱１０３，１０４の間隔に合わせて広げられる。下梁側固定部２０３ｄ，２０３ｅは、下梁１０２と柱１０３，１０４との角に合うように向きが調整される。ここで、下梁側固定部２０３ｄ，２０３ｅの第１取付片２０３ｄ３，２０３ｅ３が下梁１０２の上面に合わせられる。下梁側固定部２０３ｄ，２０３ｅの第２取付片２０３ｄ４，２０３ｅ４が柱１０３，１０４の側面に合わせられる。
下梁側固定部２０３ｄ，２０３ｅの第１取付片２０３ｄ３，２０３ｅ３は、ビスやボルト１０２ｃによって下梁１０２に固定されるとよい。第２取付片２０３ｄ４，２０３ｅ４は、それぞれビスやボルト１０３ｃ，１０４ｃによって柱１０３，１０４に固定されるとよい。
【００４８】
図１に示された形態では、下梁側固定部２０３ｄ，２０３ｅが、下梁１０２だけでなく柱１０３，１０４に固定されている。この場合、左右のブレース２０３ｂ，２０３ｃから下梁側固定部２０３ｄ，２０３ｅを引き上げるような力が作用した場合でも、下梁１０２から外れにくい。
【００４９】
次に、下側伝達部材２０３に制震ユニット２０１と上側伝達部材２０２を取り付ける。図１に示されているように、下側伝達部材２０３の２本のブレース２０３ｂ，２０３ｃが柱１０３，１０４の間隔に合わせて広げられると、下側伝達部材２０３が低くなる。上側伝達部材２０２と上梁１０５との間には、間隙を埋めるため、所定の厚さの調整板１１０が適宜に取り付けられる。具体的には、上梁１０５に調整板１１０を取り付けてから上側伝達部材２０２が上梁１０５に取り付けられるとよい。調整板１１０は、ラグスクリューボルト３２２によって上梁１０５に取り付けられている。
【００５０】
次に、下側伝達部材２０３の左右のブレース２０３ｂ，２０３ｃの中間部位に、横架材２０３ｆが取り付けられる。横架材２０３ｆは、左右のブレース２０３ｂ，２０３ｃの中間部位の前後に配置される。左右のブレース２０３ｂ，２０３ｃの中間部位の前後に重ねられた横架材２０３ｆは、ピン２０３ｂ３，ピン２０３ｃ３によって仮止めされる。この際、右側のブレース２０３ｂに装着されるピン２０３ｂ３のボルトは後側から装着されるとよい。左側のブレース２０３ｃに装着されるピン２０３ｃ３のボルトは前側から装着されるとよい。左側のブレース２０３ｃの中間部位に装着されたピン２０３ｃ３のボルトには、第１斜材２０３ｇの上側の取付部２０３ｇ３が取り付けられ、ナットが仮止めされる。右側のブレース２０３ｂの中間部位に装着されたピン２０３ｂ３のボルトには、第２斜材２０３ｈの上側の取付部２０３ｈ３が取り付けられ、ナットが仮止めされる。
【００５１】
次に、第１斜材２０３ｇと第２斜材２０３ｈは、それぞれ長さが調整される。そして、第１斜材２０３ｇの下側の取付部２０３ｇ２が、左側のブレース２０３ｂの下端部のピンに取り付けられる。第２斜材２０３ｈの下側の取付部２０３ｈ２が、右側のブレース２０３ｂの下端部のピンに取り付けられる。
【００５２】
このように横架材２０３ｆと第１斜材２０３ｇと第２斜材２０３ｈとが、左右のブレース２０３ｂ，２０３ｃに取り付けられた後で、下側伝達部材２０３の左右のブレース２０３ｂ，２０３ｃには、ピン２０３ｂ１，２０３ｂ２，２０３ｂ３、ピン２０３ｃ１，２０３ｃ２，２０３ｃ３のナットをそれぞれ締め付けて下側伝達部材２０３の各部材を固定するとよい。
【００５３】
この制震装置２００では、下側伝達部材２０３は、制震ユニット２０１の第２変位部材２１１に固定される第２ユニット側固定部２０３ａに対して、２本のブレース２０３ｂ，２０３ｃがピン構造で取り付けられている。下側伝達部材２０３の左右のブレース２０３ｂ，２０３ｃの間隔は、柱１０３，１０４の間隔に合わせて調整される。このため、制震装置２００が取り付ける位置について自由度が高い。例えば、中古住宅のリフォームにも適用できるようになり、制震装置２００の汎用性が高くなる。
【００５４】
また、第１斜材２０３ｇと、第２斜材２０３ｈとを備えている。第１斜材２０３ｇは、２本のブレースのうち第１ブレース２０３ｂの下端部に取り付けられた下梁側固定部２０３ｄと第２ブレース２０３ｃの中間部位との間に架け渡されている。第２斜材２０３ｈは、２本のブレースのうち第２ブレース２０３ｃの下端部に取り付けられた下梁側固定部２０３ｅと、第１ブレース２０３ｂの中間部位との間に架け渡されている。このように、第１斜材２０３ｇと第２斜材２０３ｈとが取り付けられているので、下側伝達部材２０３の下部の剛性が高められており、下側伝達部材２０３全体としても剛性が高められている。これによって、下梁１０２と上梁１０５との相対的な変位が適切に制震ユニット２０１に伝達される。
【００５５】
また、第１斜材２０３ｇと第２斜材２０３ｈは、それぞれ長さを調整できるように構成されている。このため、柱１０３，１０４の間隔に合わせて取り付けられる下側伝達部材２０３の左右のブレース２０３ｂ，２０３ｃに合わせて、第１斜材２０３ｇと第２斜材２０３ｈの長さが調整されるとよい。このように、第１斜材２０３ｇと第２斜材２０３ｈは、それぞれ長さを調整できるように構成されていることによって、制震装置２００の汎用性が高くなる。なお、第１斜材２０３ｇと第２斜材２０３ｈは、柱１０３，１０４の間隔に合わせて取り付けられる下側伝達部材２０３の左右のブレース２０３ｂ，２０３ｃに固定できる。なお、第１斜材２０３ｇと第２斜材２０３ｈの長さ調整機構は、上述した形態に限定されず、種々の形態が採用されうる。
【００５６】
また、この実施形態では、横架材２０３ｆが、２本のブレース２０３ｂ，２０３ｃの中間部位に架け渡されている。横架材２０３ｆは、２本のブレース２０３ｂ，２０３ｃの中間部位に取り付けられる位置を調整できるように構成されている。つまり、柱１０３，１０４の間隔に合わせて取り付けられる下側伝達部材２０３の左右のブレース２０３ｂ，２０３ｃの中間部位の間隔に合わせて、横架材２０３ｆが取り付けられる位置が調整される。例えば、図１に示されているように、横架材２０３ｆの両端に長さ方向に長い長孔が形成されているとよい。なお、横架材２０３ｆは、片側の端部のみが長孔が形成されていてもよい。
【００５７】
横架材２０３ｆと第１斜材２０３ｇと第２斜材２０３ｈは、それぞれ２本のブレース２０３ｂ，２０３ｃの中間部位に対して取り外し可能に取り付けられているとよい。この場合、横架材２０３ｆと第１斜材２０３ｇと第２斜材２０３ｈとが、ブレース２０３ｂ，２０３ｃから取り外した状態で、左右のブレース２０３ｂ，２０３ｃの間隔が調整できる。このため、柱１０３，１０４の間隔に合わせて取り付けられる下側伝達部材２０３のブレース２０３ｂ，２０３ｃの間隔を調整する作業が容易になる。また、横架材２０３ｆと第１斜材２０３ｇと第２斜材２０３ｈとが、ブレース２０３ｂ，２０３ｃから取り外せるので、左右のブレース２０３ｂ，２０３ｃをコンパクトに畳むことができる。これにより、制震装置２００を現場に搬送する際に梱包がコンパクトになる。
【００５８】
下梁側固定部２０３ｄ，２０３ｅは、建物１００の下梁１０２と、下梁１０２から立ち上がった柱１０３，１０４とに取り付けられる直交する２つの取付片を有している。図１に示された形態では、下梁側固定部２０３ｄ，２０３ｅは、建物１００の下梁１０２に取り付けられる第１取付片２０３ｄ３，２０３ｅ３と、下梁１０２から立ち上がった柱１０３，１０４に取り付けられる第２取付片２０３ｄ４，２０３ｅ４とを備えている。この場合、下梁側固定部２０３ｄ，２０３ｅは、２本のブレース２０３ｂ，２０３ｃの下端部にピン構造で取り付けられているとよい。下梁側固定部２０３ｄ，２０３ｅは、適当な向きに調整され、かつ、下梁１０２だけでなく柱１０３，１０４にも取り付けられる。制震ユニット２０１に下梁１０２の相対変位を伝達する際には、制震ユニット２０１からの反力によってブレース２０３ｂ，２０３ｃから下梁側固定部２０３ｄ，２０３ｅを上方に引き上げるように力が作用する。図１に示された形態では、下梁側固定部２０３ｄ，２０３ｅは、下梁１０２から立ち上がった柱１０３，１０４にも取り付けられているので、下梁側固定部２０３ｄ，２０３ｅは下梁１０２から外れにくい。
【００５９】
図７は、他の実施形態に係る制震装置２００の正面図である。ここでは、主に図１に示されているように、制震装置２００との相違点を説明する。
【００６０】
図７に示された実施形態では、左右のブレース２０３ｂ，２０３ｃの中間部位に、横架材２０３ｖが取り付けられている。横架材２０３ｖは、第１部材２０３ｖ１と、第２部材２０３ｖ２と、長さ調整機構２０３ｖ３とを備えている。第１部材２０３ｖ１は、左側のブレース２０３ｂの中間部位に取り付けられている。第２部材２０３ｖ２は、右側のブレース２０３ｃの中間部位に取り付けられている。長さ調整機構２０３ｖ３は、第１部材２０３ｖ１と第２部材２０３ｖ２とを繋いでいる。図７に示された形態では、第１部材２０３ｖ１と第２部材２０３ｖ２とは、それぞれ平板にねじ軸が溶接されている。平板には、左右のブレース２０３ｂ，２０３ｃの中間部位に設けられたピンに取り付けられるための取付孔が形成されている。第１部材２０３ｖ１のねじ軸と、第２部材２０３ｖ２のねじ軸とは、それぞれ逆向きのネジ溝が切られている。そして、スリーブの両端に逆向きにネジ溝が切られたスリーブ状のバックルで接続されている。この場合、横架材２０３ｖは、バックルを回すことによって第１部材２０３ｖ１と第２部材２０３ｖ２との距離が調整される。また、かかる横架材２０３ｖの各部位は、ブレース２０３ｂ，２０３ｃから受ける圧縮荷重および引っ張り荷重に耐えうるように所要の機械強度を備えているとよい。
【００６１】
このように横架材は長さを調整できるように構成されていてもよい。この場合、横架材２０３ｖの両端には、図１に示された横架材２０３ｆのように長孔が形成されていなくてもよい。
【００６２】
また、図７に示されているように、制震装置２００の下梁側固定部２０３ｄ，２０３ｅは、アンカーボルト１１３，１１４に取り付けられるように構成されていてもよい。この制震装置２００は、左右のブレース２０３ｂ，２０３ｃの下端部の間隔が調整できる。このため、建物の既設のアンカーボルト１１３，１１４の間隔に合わせて、左右のブレース２０３ｂ，２０３ｃの下端部の間隔を調整して建物１００に取り付けることもできる。制震装置２００の下梁側固定部２０３ｄ，２０３ｅが、基礎のアンカーボルト１１３，１１４に取り付けられる場合には、ブレース２０３ｂ，２０３ｃから上方に引き上げられる力に耐えうる。このような場合には、下梁側固定部２０３ｄ，２０３ｅは、柱に取り付ける必要はない。また、この制震装置２００では、ブレース２０３ｂ，２０３ｃの下端部の間隔が調整できる。このため、例えば、新築の建物で基礎に設けられるアンカーボルト１１３，１１４の位置が設計された位置から多少ずれている場合でも、下梁側固定部２０３ｄ，２０３ｅがアンカーボルト１１３，１１４に取り付けられる。
【００６３】
以上、ここで提案される制震装置および建物について、種々説明したが、ここで提案される制震装置は、特に言及されない限りにおいて、上述した実施形態に限定されない。
【００６４】
上述した実施形態では、ブレース２０３ｂ，２０３ｃの下端部と、左右のブレース２０３ｂ，２０３ｃの中間部位に取り付けられた斜材２０３ｇ，２０３ｈの下端部は、重ねられて同じ部位に固定されている。かかる形態に限定されず、ブレース２０３ｂ，２０３ｃの下端部と、斜材２０３ｇ，２０３ｈの下端部は、重ねられていなくてもよい。
つまり、ブレース２０３ｂ，２０３ｃの下端部とは重ならない位置で、斜材２０３ｇ，２０３ｈの下端部が、下梁側固定部に固定されていてもよい。この場合でも、上述した実施形態と同様に、斜材２０３ｇ，２０３ｈによって、下側伝達部材２０３の下部の剛性が高められる。
【００６５】
また、上述したように横架材２０３ｆ，２０３ｖの両端部は、斜材２０３ｇ，２０３ｈの上端部にそれぞれ重ねられて、ブレース２０３ｂ，２０３ｃの中間部位に取り付けられている。かかる形態に限定されず、横架材２０３ｆ，２０３ｖの両端部と、斜材２０３ｇ，２０３ｈの上端部は、重ねられていなくてもよい。また、横架材２０３ｆ，２０３ｖの両端部と、斜材２０３ｇ，２０３ｈの上端部とは、ブレース２０３ｂ，２０３ｃの中間部位に対して、異なる位置に取り付けられていてもよい。
また、上述した実施形態では、横架材２０３ｆ，２０３ｖが取り付けられた構造が例示されている。斜材２０３ｇ，２０３ｈによって、下側伝達部材２０３の下部の剛性が十分に高められる場合などには、横架材２０３ｆ，２０３ｖは取り付けられなくてもよい。
【００６６】
かかる建物１００に関する提案において、特に言及されない限りにおいて、上述した実施形態に限定されない。制震ユニット２０１、下側伝達部材２０３の下梁側固定部２０３ｄ，２０３ｅの構造などは、同様の作用を奏する構造に置き換えてもよい。また、制震装置２００の各部材、部位は、特段言及されていないが、所要の機能が奏されるように適切な機械強度を備えているとよい。
【符号の説明】
【００６７】
１００  建物
１０１  基礎
１０１ａ  基礎パッキン
１０２  下梁
１０２ａ  ほぞ穴
１０２ｃ  ボルト
１０３，１０４  柱
１０３ａ，１０４ａ  ほぞ
１０３ｂ，１０４ｂ  ほぞ
１０３ｃ，１０４ｃ  ボルト
１０５  上梁
１０５ａ  ほぞ穴
１０８  矩形の枠組み
１０９  床合板
１１０  調整板
１１１，１１２  アンカーボルト
１１１ａ，１１２ａ  ホールダウン金物
１１３，１１４  アンカーボルト
２００  制震装置
２０１  制震ユニット
２０２  上側伝達部材
２０２ａ  上梁側固定部
２０２ｂ，２０２ｃ  第１ユニット側固定部（取付片）
２０３  下側伝達部材
２０３ａ  第２ユニット側固定部
２０３ａ１  ブレース２０３ｂ，２０３ｃの上端に対向する面
２０３ａ２，２０３ａ３  挟持片
２０３ｂ，２０３ｃ  ブレース
２０３ｂ１，２０３ｂ２，２０３ｂ３  ピン
２０３ｃ１，２０３ｃ２，２０３ｃ３  ピン
２０３ｄ，２０３ｅ  下梁側固定部
２０３ｄ１，２０３ｄ２，２０３ｅ１，２０３ｅ２  金物
２０３ｄ３，２０３ｅ３  第１取付片
２０３ｄ４，２０３ｅ４  第２取付片
２０３ｆ  横架材
２０３ｆ１，２０３ｆ２  長孔
２０３ｇ  第１斜材
２０３ｇ２，２０３ｇ３  取付部
２０３ｇ４  第１軸
２０３ｇ５  第２軸
２０３ｇ６  ターンバックル
２０３ｈ  第２斜材
２０３ｈ２，２０３ｈ３  取付部
２０３ｈ４  第１軸
２０３ｈ５  第２軸
２０３ｈ６  ターンバックル
２０３ｖ  横架材
２０３ｖ１  第１部材
２０３ｖ２  第２部材
２０３ｖ３  長さ調整機構
２１１  中間プレート（第２変位部材）
２１１ａ  取付プレート
２１２，２１３  粘弾性体
２１４，２１５  外側プレート（第１変位部材）
３０１  ボルトナット
３０１ａ  スペーサ
３０２  ボルトナット
３２１，３２２  ラグスクリューボルト
【図１】
2019137974.tif 000003
【図２】
2019137974.tif 000004
【図３】
2019137974.tif 000005
【図４】
2019137974.tif 000006
【図５】
2019137974.tif 000007
【図６】
2019137974.tif 000008
【図７】
2019137974.tif 000009